(57)【要約】【課題】熱源水を用いて外気処理を行うヒートポンプ付外気処理ユニットにおいて、地中熱を利用して外気処理ユニットの高効率化を図る。【解決手段】外気処理ユニット１は、熱源水を通水する熱源水配管４０に設けられ、送風機１０に吸入される空気と熱源水配管４０内の熱源水との間で熱交換を行うファンコイル３０と、熱源水配管４０におけるファンコイル３０よりも上流側から分岐した分岐管５０に設けられ、当該分岐管５０内の熱源水と圧縮機２０に接続された冷媒配管２４内の冷媒との間で熱交換を行うヒートポンプ用水対冷媒熱交換器２１と、ファンコイル２０よりも送風機１０の下流側に設けられ、送風機１０に吸入される空気と冷媒配管２４内の冷媒との間で熱交換して空気の冷却除湿を行う冷媒対空気熱交換器２３と、冷媒対空気熱交換器２３よりも送風機１０の下流側に設けられ、送風機１０に吸入される空気を再熱する再熱用空気熱交換器３１を有する。【選択図】図１
2015194319.tif 000002
【特許請求の範囲】
【請求項１】
熱源水を用いて外気処理を行うヒートポンプ付外気処理ユニットであって、
熱源水を通水する熱源水配管に設けられ、送風機に吸入される空気と熱源水配管内の熱源水との間で熱交換を行うファンコイルと、
前記熱源水配管におけるファンコイルよりも上流側から分岐した他の熱源水配管に設けられ、当該他の熱源水配管内の熱源水と圧縮機に接続された冷媒配管内の冷媒との間で熱交換を行うヒートポンプ用水対冷媒熱交換器と、
前記ファンコイルよりも前記送風機の下流側に設けられ、前記送風機に吸入される空気と前記冷媒配管内の冷媒との間で熱交換を行う冷媒対空気熱交換器と、
前記冷媒対空気熱交換器よりも前記送風機の下流側に設けられ、前記送風機に吸入される空気を再熱する再熱用空気熱交換器と、を有していることを特徴とする、ヒートポンプ付外気処理ユニット。
【請求項２】
前記再熱用空気熱交換器は、前記ファンコイル下流側の前記熱源水配管に直列に接続されていることを特徴とする、請求項１に記載のヒートポンプ付外気処理ユニット。
【請求項３】
前記再熱用空気熱交換器は、前記熱源水配管に前記ファンコイルと並列に接続されていることを特徴とする、請求項１に記載のヒートポンプ付外気処理ユニット。
【発明の詳細な説明】
【技術分野】
【０００１】
本発明は、ヒートポンプ付水熱源外気処理ユニット、特に熱源水として地中熱を利用したヒートポンプ付水熱源外気処理ユニット関するものである。
【背景技術】
【０００２】
従来、熱源水を用いた外気処理ユニットとしては、例えば特許文献１や特許文献２に開示されるように、ファンコイルと、冷凍サイクルとしてのいわゆるヒートポンプとを組み合わせたものがある。
【０００３】
特許文献１の外気処理ユニットでは、例えば熱源水を用いてファンコイルで外気と熱交換し、ファインコイルで熱交換した熱源水は、さらにヒートポンプでの熱交換に利用される。
【０００４】
また、特許文献２の外気処理ユニットでは、例えば熱源水を用いてファンコイルで還気と熱交換し、ファインコイルで熱交換した熱源水は、さらに他のファンコイルにより外気と熱交換した後、ヒートポンプでの熱交換に利用される。そして、ヒートポンプの冷媒により冷却除湿された外気が給気される。
【先行技術文献】
【特許文献】
【０００５】
【特許文献１】特開２００５−６９５５２号公報
【特許文献２】特開２００８−７００９７号公報
【発明の概要】
【発明が解決しようとする課題】
【０００６】
ところで近年、年間通じて２０℃±５℃前後で安定した熱源水を得られる地中熱を利用した外気処理ユニットが検討されている。
【０００７】
しかしながら、特許文献１や特許文献２に開示される外気処理ユニットにおいては、熱源水として概ね１０℃程度の冷水を用いている。そのため、特許文献１や特許文献２に開示される外気処理ユニットでは、２０℃前後の水を熱源水として利用することができない。
【０００８】
仮に、特許文献２の外気処理ユニットの熱源水に２０℃前後の水を用いた場合、例えばファンコイルでの熱交換、及び他のファンコイルでの熱交換により熱源水がそれぞれ５℃ずつ温度上昇したとすると、ヒートポンプでの熱源水の温度が３０℃程度となる。この場合のヒートポンプの効率は、ヒートポンプでの熱交換に２０℃の水を用いた場合と比較して低下してしまう。
【０００９】
そのため、地中熱由来の熱源水の使用にあたっては、主にヒートポンプでの熱交換用として用いられ、ファンコイルを含めた外気処理ユニット全体で効率的な地中熱の利用ができていなかった。
【００１０】
そこで、本発明者らは、外気処理ユニットにおける地中熱の有効利用にあたり、ヒートポンプで例えば約２０℃の熱源水を用い、並行してファンコイルでの熱交換にも当該熱源水を用いれば、効率的に熱源水、即ち地中熱を利用できることに着目した。
【００１１】
本発明はかかる点に鑑みてなされたものであり、熱源水を用いて外気処理を行うヒートポンプ付外気処理ユニットにおいて、地中熱を利用して外気処理ユニットの高効率化を図ることを目的としている。
【課題を解決するための手段】
【００１２】
前記の目的を達成するための本発明は、熱源水を用いて外気処理を行うヒートポンプ付外気処理ユニットであって、熱源水を通水する熱源水配管に設けられ、送風機に吸入される空気と熱源水配管内の熱源水との間で熱交換を行うファンコイルと、前記熱源水配管におけるファンコイルよりも上流側から分岐した他の熱源水配管に設けられ、当該他の熱源水配管内の熱源水と圧縮機に接続された冷媒配管内の冷媒との間で熱交換を行うヒートポンプ用水対冷媒熱交換器と、前記ファンコイルよりも前記送風機の下流側に設けられ、前記送風機に吸入される空気と前記冷媒配管内の冷媒との間で熱交換を行う冷媒対空気熱交換器と、前記冷媒対空気熱交換器よりも前記送風機の下流側に設けられ、前記送風機に吸入される空気を再熱する再熱用空気熱交換器と、を有していることを特徴としている。
【００１３】
本発明によれば、熱源水との間で熱交換を行うファンコイルと、熱源水と冷媒配管内の冷媒との間で熱交換を行うヒートポンプ用水対冷媒熱交換器に対して、並列に熱源水を供給しているので、例えば２０℃前後の地中熱を利用した熱源水を用いた場合であっても、ヒートポンプでの熱交換に用いる熱源水として２０℃前後の水を供給することができる。したがって、ファンコイルで熱交換後の熱源水を用いる場合と比較して、ヒートポンプを効率の高い点で運転することができる。その結果、外気処理ユニットの高効率化を図ることができる。
【発明の効果】
【００１４】
本発明によれば、熱源水を用いて外気処理を行うヒートポンプ付外気処理ユニットにおいて、地中熱を利用して外気処理ユニットの高効率化を図ることができる。
【図面の簡単な説明】
【００１５】
【図１】本実施の形態に係る外気処理ユニットの構成の概略を示す系統図である。
【図２】他の実施の形態に係る外気処理ユニットの構成の概略を示す系統図である。
【図３】他の実施の形態に係る外気処理ユニットの構成の概略を示す系統図である。
【図４】他の実施の形態に係る外気処理ユニットの構成の概略を示す系統図である。
【発明を実施するための形態】
【００１６】
以下、本発明の実施の形態について説明する。図１は、本発明に係る外気処理ユニット１の実施の形態の一例を示すものである。なお、本明細書および図面において、実質的に同一の機能構成を有する要素においては、同一の符号を付することにより重複説明を省略する。
【００１７】
図１に示すように、外気処理ユニット１は、ヒートポンプ回路部Ａ、送風機１０、送風機の吸い込み側の空気と熱交換を行う熱交換部Ｂ及び制御部Ｃから構成されている。
【００１８】
ヒートポンプ回路部Ａには、圧縮機２０と、後述する熱源水配管４０内の熱源水と圧縮機２０から供給される冷媒との間で熱交換を行うヒートポンプ用水対冷媒熱交換器２１と、膨張弁２２と、冷媒と空気との間で熱交換を行う冷媒対空気熱交換器２３とが設けられ、圧縮機の出口側からこの順で冷媒配管２４に接続されている。
【００１９】
また、冷媒配管２４における冷媒対空気熱交換器２３の下流側には、アキュームレータ２５が設けられている。冷媒配管２４におけるアキュームレータ２５の下流側には、ヒートポンプ用水対冷媒熱交換器２１通過後の冷媒配管２４内の冷媒と、アキュームレータ２５通過後の冷媒配管２４内の冷媒との間で熱交換を行う、冷媒対冷媒熱交換器２６が設けられている。冷媒対冷媒熱交換器２６の下流側の冷媒配管２４は、再び圧縮機２０に接続されている。即ち、冷媒配管２４は循環系統を構成している。冷媒配管２４を流れる冷媒は、圧縮機２０で高温高圧のガス状態となった後、ヒートポンプ用水対冷媒熱交換器２１において、後述する分岐管５０内の熱源水との間で熱交換して凝縮する。その後、冷媒対冷媒熱交換器２６を通り、膨張弁２２で減圧された後に、冷媒対空気熱交換器２３で熱交換を行い蒸発する。その後、蒸発した冷媒は、アキュームレータ２５、冷媒対冷媒熱交換器２６を通り、再び圧縮機２０で高温高圧状態となる。
【００２０】
熱交換部Ｂは、送風機１０に吸入される空気と後述の熱源水配管４０内の熱源水との間で熱交換を行うファンコイル３０と、ヒートポンプ回路部Ａの一部を構成する冷媒対空気熱交換器２３と、送風機１０に吸入される空気を再熱する再熱用空気熱交換器３１を有している。ファンコイル３０、冷媒対空気熱交換器２３、再熱用空気熱交換器３１は、送風機１０の上流側から下流側に向かってこの順で設けられている。
【００２１】
ファンコイル３０には、熱源水ポンプ３２により供給される熱源水を通水する熱源水配管４０が接続されている。本実施の形態に係る熱源水ポンプ３２としては、流量可変なものが用いられる。また、本実施の形態における熱源水は、例えば地中熱により所定の温度、例えば概ね２０℃前後に維持されているものとする。なお、本実施の形態におけるファンコイル３０は、例えば外気が乾球温度３２℃、湿球温度２８℃の条件下で、例えば２０℃の熱源水を通水した場合に、ファンコイル３０出口側での空気が乾球温度２４．５℃、湿球温度２４．５℃となり、ファンコイル３０出口側での熱源水の温度が２３℃となるようにその伝熱面積が決定されている。また、本実施の形態における冷媒対空気熱交換器２３においては、例えばファンコイル３０出口側、即ち冷媒対空気熱交換器２３入口における空気の条件が乾球温度２４．５℃、湿球温度２４．５℃である場合に、当該冷媒対空気熱交換器２３出口側での空気が乾球温度１２．０℃、湿球温度１１．９℃となるように、ヒートポンプ回路部Ａの圧縮機２０の負荷が調整され、冷媒対空気熱交換器２３はこのような温度条件を満たすようにその伝熱面積が決定されている。
【００２２】
熱源水配管４０のファンコイル３０の出口側は、再熱用空気熱交換器３１に接続されている。即ち、ファンコイル３０と再熱用空気熱交換器３１は、熱源水配管４０に対して、この順で上流側から下流側に接続されている。なお、本実施の形態における再熱用空気熱交換器３１は、例えばファンコイル３０出口側、即ち再熱用空気熱交換器３１入口での空気の条件が乾球温度１２．０℃、湿球温度１１．９℃であり、再熱用空気熱交換器３１に供給される熱源水の温度が２３℃である場合に、当該再熱用空気熱交換器３１出口側での空気が乾球温度１９．０℃、湿球温度１４．５℃となり、再熱用空気熱交換器３１出口側での冷媒の温度が２１．１℃となるようにその伝熱面積が決定されている。なお、上述の熱源水の温度や、ファンコイル３０、冷媒対空気熱交換器２３、再熱用空気熱交換器３１といった機器の設計条件は一例に過ぎず、本実施の形態の内容に限定されるものではない。
【００２３】
熱源水配管４０におけるファンコイル３０と熱源水ポンプ３２の間には、ファンコイル３０への熱源水の通水を制御する熱源水三方弁４１が設けられている。熱源水配管４０からは、熱源水三方弁４１を介してファンコイル３０を迂回するバイパス管４２が設けられ、バイパス管４２と熱源水配管４０とは、再熱用空気熱交換器３１の出口側で接続されている。バイパス管４２と合流後の熱源水配管４０は、例えば地中に接続されており地中熱により熱交換を行った熱源水は、再び熱源水ポンプ３２により熱源水配管４０に供給される。
【００２４】
熱源水配管４０における熱源水ポンプ３２の上流側からは、他の熱源水配管としての分岐管５０が分岐して設けられている。分岐管５０には冷媒熱交換器用ポンプ５１が設けられている。分岐管５０は、冷媒熱交換器用ポンプ５１の出口側でヒートポンプ用水対冷媒熱交換器２１に接続されており、圧縮機２０出口側の冷媒と熱源水との熱交換が行われる。分岐管５０は、例えばバイパス管４２と合流後の熱源水配管４０と合流して、地中に戻される。熱源水配管４０における分岐管５０の分岐点よりも上流側には、熱源水配管４０内を流れる熱源水の温度を測定する熱源水温度センサ５２が設けられている。なお、分岐管５０は必ずしも熱源水配管４０と合流させる必要はない。
【００２５】
ファンコイル３０における送風機１０の上流側には、例えば外気の温度を測定する外気温度センサ６０が設けられている。また、送風機１０の上流側であって、再熱用空気熱交換器３１の下流側、即ち、送風機１０と再熱用空気熱交換器３１の間には、再熱用空気熱交換器３１で熱交換後の空気の温度を測定する給気温度センサ６１が設けられている。
【００２６】
制御部Ｃには、外気温度センサ６０及び給気温度センサ６１の測定結果が入力される。また、制御部Ｃには、当該制御部Ｃに入力された各センサの測定結果に基づいて圧縮機２０や熱源水ポンプ３２の吐出流量、熱源水三方弁４１といった、外気処理ユニット１の各機器の動作を制御プログラムが格納されている。また、制御部Ｃには、例えば給気の設定温度などを切替えるための操作部（図示せず）が設けられている。
【００２７】
本実施の形態にかかる外気処理ユニット１は以上のように構成されており、次にこの外気処理ユニット１による外気処理方法について説明する。外気処理方法の一例として、２０℃の熱源水を用いて冷房運転を行い、乾球温度３２℃、湿球温度２８℃外気を、乾球温度１９℃、湿球温度１４．５℃に調整して給気する場合を例にして説明する。
【００２８】
先ず、外気処理ユニット１の運転を開始するにあたり、外気処理ユニット１による給気の調整温度（乾球温度）を１９℃に設定すると共に、冷媒熱交換器用ポンプ５１を起動して分岐管５０を介してヒートポンプ用水対冷媒熱交換器２１に熱源水を供給する。それと並行して圧縮機２０を起動して、ヒートポンプ回路部Ａを起動する。
【００２９】
ヒートポンプ回路部Ａが所定の負荷に到達すると、次いで、送風機１０を起動すると共に、熱源水三方弁４１を熱源水配管４０側に切り替えて、外気処理ユニット１による給気運転を開始する。送風機１０が起動すると、ファンコイル３０で熱源水と熱交換されて予冷された外気が熱交換される。この際、ファンコイル３０出口側の熱源水配管４０における熱源水の温度は、例えば２３℃まで上昇した状態となる。次いで、ファンコイル３０出口側の空気は、冷媒対空気熱交換器２３において冷媒と熱交換を行うことで、冷却除湿される。この際、冷媒対空気熱交換器２３の出口側の空気が、例えば乾球温度１２．０℃、湿球温度１１．９℃の状態となるように、制御部Ｃにより圧縮機２０の負荷が制御される。
【００３０】
その後、冷媒対空気熱交換器２３の出口側の空気は、再熱用空気熱交換器３１により、ファンコイル３０通過後の熱源水、即ち２３℃まで温度上昇した熱源水により再熱される。この際、再熱用空気熱交換器３１に通水される熱源水の流量、換言すれば、熱源水ポンプ３２の吐出流量は、再熱用空気熱交換器３１出口側の給気温度センサ６１において、例えば乾球温度１９℃、湿球温度１４．５℃の状態となるように制御部Ｃにより制御される。また、２３℃で再熱用空気熱交換器３１に通水された熱源水の、当該再熱用空気熱交換器３１出口側の熱源水配管４０における温度は、再熱用空気熱交換器３１での熱交換により、例えば２１．１℃まで低下する。即ち、外気処理ユニット１の熱交換部Ｂでの熱交換による熱源水の温度上昇は、１．１℃となる。なお、外気処理ユニット１の冷房運転中に例えば大気温度が熱源水の温度以下になった場合は、熱源水三方弁４１をバイパス管４２側に切り替え、ファンコイル３０と再熱用空気熱交換器をバイパスさせる。そして、熱交換部Ｂで所定の温度に調整された空気は送風機１０により給気され、外気処理ユニット１による冷房運転が行われる。
【００３１】
以上の実施の形態によれば、熱源水との間で熱交換を行うファンコイル３０と、熱源水と冷媒配管２４内の冷媒との間で熱交換を行うヒートポンプ用水対冷媒熱交換器２１に対して、それぞれ熱源水配管４０と分岐管５０により並列に熱源水を供給しているので、例えば２０℃前後の地中熱を利用した熱源水を用いた場合であっても、ヒートポンプ回路部Ａでの熱交換に用いる熱源水として２０℃前後の水を供給することができる。したがって、ファンコイル３０で熱交換後の熱源水を用いる場合と比較して、ヒートポンプ回路部Ａを効率の高い点で運転することができる。その結果、外気処理ユニット１の高効率化を図ることができる。
【００３２】
また、ファンコイル３０と再熱用空気熱交換器３１とを熱源水配管４０に対して直列に接続しているので、再熱用空気熱交換器３１において、ファンコイル３０との熱交換により昇温した熱源水を用いることができる。例えば、従来の外気処理ユニットでは、再熱用空気熱交換器３１の再熱に圧縮機２０出口の冷媒を用いるなどしていたが、本実施の形態によれば、熱源水配管４０を流れる熱源水により再熱を行うことができるので、ヒートポンプ回路部Ａをより高効率で運転することができる。
【００３３】
また、ファンコイル３０との熱交換により昇温した熱源水を再熱用空気熱交換器３１の再熱に用いることで、熱源水の温度を低下させることができる。即ち、熱源水そのものは、ファンコイル３０での予冷による吸熱と、再熱用空気熱交換器３１での再熱による排熱を同時に行うので、例えば本実施の形態においては、熱交換部Ｂにおける温度上昇を約１．１℃に抑えることができる。そのため、地中熱に負荷をかけることなく、安定した温度で地中熱による熱源水を継続使用することができる。
【００３４】
以上の実施の形態では、流量可変な熱源水ポンプ３２によりファンコイル３０への熱源水の通水量を制御したが、流量可変な熱源水ポンプ３２に代えて、例えば定流量ポンプの出口側に流量調節弁を設けるような構成にしてもよく、熱源水配管４０を流れる熱源水の流量を制御できる機構を有していれば、任意に設定が可能である。また、熱源水三方弁４１に代えて、例えばバイパス管４２を通過する熱源水の量を制御する比例三方弁と、定流量ポンプとを組み合わせてファンコイル３０への熱源水の通水量を制御してもよい。なお、外気処理ユニット１全体での消費エネルギー（消費電力）を抑えるという観点からは、絞り損失が生じる流量調節弁や、ファンコイル３０への通水量を減らしてよい場合でも熱源水ポンプ３２を負荷一定で運転することになる比例三方弁を用いるより、流量可変な熱源水ポンプ３２を用いることがより好ましい。
【００３５】
また、ヒートポンプ用水対冷媒熱交換器２１に対して熱源水を供給するにあたっては、必ずしも冷媒熱交換器用ポンプ５１を設ける必要はなく、例えば図２に示すように、分岐管５０を熱源水ポンプ３２の出口に設け、当該分岐管５０に流量調節弁７０を設けることで、ヒートポンプ用水対冷媒熱交換器２１に供給する熱源水の流量を一定にするように調整してもよい。
【００３６】
なお、以上の実施の形態では、ファンコイル３０と再熱用空気熱交換器３１とを熱源水配管４０に対して直列に接続していたが、ファンコイル３０と再熱用空気熱交換器３１とは必ずしも直列に設ける必要はなく、例えば図３に示すように、ファンコイル３０と再熱用空気熱交換器３１を熱源水配管４０に対して並列に設けるようにしてもよい。かかる場合、熱源水配管４０における熱源水ポンプ３２とファンコイル３０の間に遮断弁８０を設け、当該遮断弁８０を開閉操作することで、ファンコイル３０への通水の有無を制御してもよい。また、熱源水配管４０における熱源水ポンプ３２と再熱用空気熱交換器３１との間には流量調節弁８１が設けられ、当該流量調節弁８１により再熱用空気熱交換器３１への通水量を制御することで、再熱用空気熱交換器３１出口側で、例えば乾球温度１９℃、湿球温度１４．５℃の状態となるように制御される。なお、図３に示すように、分岐管５０を熱源水ポンプ３２と遮断弁８０の間から分岐して、分岐管５０には特に熱源水の流量を調整する機構を設けず、熱源水ポンプ３２により分岐管５０への通水量が一定になるように制御してもよいし、図１に示すように、分岐管５０を熱源水ポンプ３２の上流側に設けて冷媒熱交換器用ポンプ５１により分岐管に通水するようにしてもよい。
【００３７】
図３に示す外気処理ユニット１においては、例えば外気処理ユニット１の冷房運転中に大気温度が熱源水の温度以下になった場合は、遮断弁８０を閉止してファンコイル３０への熱源水の供給を停止する一方、再熱用空気熱交換器３１出口側の給気温度センサ６１において給気温度が所望の温度になるように、流量調節弁８１により再熱用空気熱交換器３１への通水量が制御されるという点を除いては、図１に示す外気処理ユニット１と同様の外気処理が行われる。
【００３８】
なお、以上の実施の形態では、冷房運転を行う場合について説明したが、外気処理ユニット１により暖房運転を行ってもよい。かかる暖房運転は、例えば図３に示した外気処理ユニット１を例にすると、図３のヒートポンプ回路部Ａに対して、例えば図４に示すように、圧縮機２０出口の冷媒の供給先を、ヒートポンプ用水対冷媒熱交換器２１または冷媒対空気熱交換器２３のいずれかに切り替える四方弁９０を、冷媒配管２４の圧縮機２０の出口側に設け、さらに、冷媒配管２４におけるヒートポンプ用水対冷媒熱交換器と冷媒対冷媒熱交換器２６との間に他の膨張弁２２ａを設けることで実現できる。
【００３９】
四方弁９０を、図４に示すように実線の状態にした場合、即ち圧縮機２０出口の冷媒の供給先をヒートポンプ用水対冷媒熱交換器２１とした場合、図３に示す外気処理ユニット１と同様の系統構成となるため、図３の場合と同様の冷房運転が行われる。また、暖房運転を行う場合は、四方弁９０を、図４に破線で示す状態に切り替え、即ち圧縮機２０出口の冷媒の供給先を冷媒対空気熱交換器２３にする。
【００４０】
かかる暖房運転について、例えば熱源水の温度が１５℃であり、外気が例えば乾球温度０℃、湿球温度−３℃である場合を例にして説明する。
【００４１】
暖房運転においては、遮断弁８０を開操作してファンコイル３０により熱源水で外気の余熱が行われる。ファンコイル３０で予熱された空気は、次に冷媒対空気熱交換器２３において冷媒配管２４を流れる高温高圧状態の冷媒により加熱される。そして、流量調節弁８１については閉止し、再熱用空気熱交換器３１での熱交換を行わないようにする。これにより、所望の給気温度による暖房運転が行われる。なお、暖房運転時に外気が熱源水の温度以上になった場合は、遮断弁８０も閉止してもよい。また、暖房運転時は、膨張弁２２については開放状態とし、他の膨張弁２２ａにより冷媒の減圧が行われる。他の膨張弁２２ａで減圧された冷媒はヒートポンプ用水対冷媒熱交換器で熱源水と熱交換することで蒸発し、アキュームレータ２５に送られ、冷媒対冷媒熱交換器２６を通って再び圧縮機２０に戻る。
【００４２】
なお、例えば図４に示す外気処理ユニット１により暖房運転のみを行う場合は四方弁９０は不要であり、例えば図４の四方弁９０の破線で示す系統、即ち、圧縮機２０出口の高温高圧の冷媒を冷媒対空気熱交換器２３に供給する系統のみを構成すれば足りる。また、例えば図１や図２に示す外気処理ユニット１においても、図４に示す外気処理ユニット１と同様に、圧縮機２０出口の冷媒の供給先を、ヒートポンプ用水対冷媒熱交換器２１または冷媒対空気熱交換器２３のいずれかに切り替える四方弁９０をヒートポンプ回路部Ａに設けることで、冷房運転と暖房運転の双方を行うことが可能となる。なお当然に、図１や図２に示す外気処理ユニット１においても、暖房運転のみを行う場合については、圧縮機２０出口の高温高圧の冷媒を冷媒対冷媒熱交換器２６に供給するのではなく、冷媒対空気熱交換器２３に供給して空気を加熱する系統のみを構成すれば足りる。
【００４３】
なお、以上の実施の形態では、外気処理ユニット１の構成の一例について説明したが、当業者であれば、本実施の形態に係る外気処理ユニット１構成について様々な変更例又は修正例に想到し得ることは明らかであり、それらについても当然に本発明の技術的範囲に属するものと了解される。
【産業上の利用可能性】
【００４４】
本発明は、外気処理ユニットで外気の冷暖房を行う際に有用である。
【符号の説明】
【００４５】
１    外気処理ユニット
１０  送風機
２０  圧縮機
２１  ヒートポンプ用水対冷媒熱交換器
２２  膨張弁
２２ａ  他の膨張弁
２３  冷媒対空気熱交換器
２４  冷媒配管
２５  アキュームレータ
２６  冷媒対冷媒熱交換器
３０  ファンコイル
３１  再熱用空気熱交換器
３２  熱源水ポンプ
４０  熱源水配管
４１  熱源水三方弁４１
４２  バイパス管
５０  分岐管
５１  冷媒熱交換器用ポンプ
５２  熱源水温度センサ
６０  外気温度センサ
６１  給気温度センサ
８０  遮断弁
８１  流量調節弁
９０  四方弁
Ａ    ヒートポンプ回路部
Ｂ    熱交換部
Ｃ    制御部
【図１】
2015194319.tif 000003
【図２】
2015194319.tif 000004
【図３】
2015194319.tif 000005
【図４】
2015194319.tif 000006